(57)【要約】【課題】  従来、設定できる温度範囲が、大きい冷蔵庫の部屋に対して、その設定温度が低側から高側に切り替えられた場合、素早く設定温度に到達し、コストを最小限に抑えることができなかった。【解決手段】  この発明に係る冷蔵庫は、冷蔵室、製氷室、切替室、野菜室および冷凍室を備え、かつ圧縮機、凝縮器、減圧装置、冷却器等を順次接続して構成される冷凍サイクルを備えた冷蔵庫において、前記各室の温度設定の変更可能な操作パネルと、室の温度を検知する温度センサーと部屋の温度を調整する調整ダンパを前記各室に配したものであって、前記冷却器の除霜用の霜取りヒータと、前記冷却器の除霜の開始・終了の判断を行う霜取り温度検知センサーを設け、霜取りヒータを使用し設定温度が低側から高側に切り替えられた場合、霜取りを行うことにより素早く、かつコストをかけずに設定温度に到達できる様にしたもである。【選択図】        図２
2005265226.tif 000002
【特許請求の範囲】
【請求項１】
冷蔵室、製氷室、切替室、野菜室および冷凍室を備え、かつ圧縮機、凝縮器、減圧装置、冷却器等を順次接続して構成される冷凍サイクルを備えた冷凍冷蔵庫において、前記冷凍冷蔵庫の前面に設け、前記各室の温度設定の変更可能な操作パネルと、室の温度を検知する温度センサーと室の温度を調整する調整ダンパを前記各室に配したものであって、前記冷却器の除霜用の霜取りヒータと、前記冷却器の除霜の開始・終了の判断を行う霜取り温度検知センサーを設けたことを特徴とする冷蔵庫。
【請求項２】
前記切替室に切替室を加熱するヒータを取り付けたことを特徴とする請求項１の冷蔵庫。
【請求項３】
前記切替室に切替室にレンジ機能装置を取り付けたことを特徴とする請求項１又は請求項２記載の冷蔵庫。
【発明の詳細な説明】
【技術分野】
【０００１】
この発明は冷蔵庫に係り、特に、霜取りヒータを通電することにより、部屋の設定温度に素早く到達可能とすると共に、レンジ機能を搭載した冷蔵庫の温度制御に関するものである。
【背景技術】
【０００２】
従来の冷蔵庫は、上から冷蔵室、その下方に製氷室と切替室が設けられ、その下方に野菜室、冷凍室を備えており、製氷室、冷凍室の背部には、冷却器カバーと冷却空間が設けられている。また、切替室の背面には、冷却ファンからの冷気を冷蔵室及び切替室に送り込むためのダンパー装置が設けられている。このダンパー装置の左側面には、冷却ファンからの冷気の吸込口が設けられ、上面には冷蔵室に冷気を送るためのダクトが設けられ、前面には切替室に冷気を送るための吹出口が設けられている。また、ダンパー装置の内部には、冷蔵室及び切替室にそれぞれ冷気を送るための切替室用ダンパーび冷蔵室用ダンパーが設けられている。（例えば、特許文献１参照）
【０００３】
【特許文献１】特開平１１-２２３４４７号公報（図１、図３〜図５、図７、図８）
【発明の開示】
【発明が解決しようとする課題】
【０００４】
従来の冷蔵庫は、以上のように、切替室の設定温度が強側から、弱側に切替えられた場合は、切替室用のヒータを使用しているため、ヒータのコストと、このヒータを加熱する電力が必要であるという問題点があった。
【０００５】
この発明は、上記のよう課題を解決するためになされたもので、第１の目的は、専用のヒータを使用せずに従来の霜取りヒータを使用することにより、コストをかけずに、専用ヒータの電力を使わずに、設定温度まで、到達させることができるようにしたものである。
【０００６】
また、第２の目的は、レンジ機能を搭載した冷蔵庫で食品の解凍を行う際、最初にヒータにより、加熱した後にレンジを使用することにより、省エネかつ、食事をする時間に解凍が完了させることができるようにしたものである。
【課題を解決するための手段】
【０００７】
この発明に係る冷蔵庫は、冷蔵室、製氷室、切替室、野菜室および冷凍室を備え、かつ圧縮機、凝縮器、減圧装置、冷却器等を順次接続して構成される冷凍サイクルを備えた冷凍冷蔵庫において、前記冷凍冷蔵庫の前面に設け、前記各室の温度設定の変更可能な操作パネルと、室の温度を検知する温度センサーと室の温度を調整する調整ダンパを前記各室に配したものであって、前記冷却器の除霜用の霜取りヒータと、前記冷却器の除霜の開始・終了の判断を行う霜取り温度検知センサーを設けたものである。
【発明の効果】
【０００８】
この発明に係る冷蔵庫は、冷蔵室、製氷室、切替室、野菜室および冷凍室を備え、かつ圧縮機、凝縮器、減圧装置、冷却器等を順次接続して構成される冷凍サイクルを備えた冷蔵庫において、前記冷凍冷蔵庫の前面に設け、前記各室の温度設定の変更可能な操作パネルと、室の温度を検知する温度センサーと部屋の温度を調整する調整ダンパを前記各室に配したものであって、前記冷却器の除霜用の霜取りヒータと、前記冷却器の除霜の開始・終了の判断を行う霜取り温度検知センサーを設けた構成としたから、設定温度が、強側たとえば冷凍設定（約−１８℃）から、弱側たとえば冷蔵設定（約３℃）に切換えられ場合、霜取りヒータを通電することによって、設定温度に素早く到達させることができ、かつ、専用ヒータを使用しないため、コスト低減となると共に、霜取りを行うため、その後の冷却能力を十分確保できる効果を有する。
【０００９】
また、専用ヒータを使用した場合でも、霜取りヒータとの組み合わせで、各ヒータに通電するので、専用ヒータ容量を抑えることができ、コストも最小限に抑えることが可能となり、かつ、より素早く設定温度に到達させることが可能となる。
【発明を実施するための最良の形態】
【００１０】
実施の形態１．
図１はこの発明の実施の形態１を示す冷蔵庫の正面図、図２に冷蔵庫の断面図、である。図１１０において１は冷蔵庫本体、２は冷蔵室、３は製氷室、４は切替室、５は野菜室、６は冷凍室、、７は操作盤である。
【００１１】
図２において、切替室４、野菜室５及び、冷凍室６のそれぞれの背部には、冷却空間８が設けられている。この内部には、冷却器９が設けられ、その上方には冷却ファン１０が設けられ、前記冷却器９下方には除霜用の霜取りヒータ１１が設けられている。また、機械室１２には、コンプレッサー１３が設けられている。
【００１２】
前記冷却ファン１０からの冷気を前記冷蔵室２、切替室４及び冷凍室６に送り込むためのダンパーがそれぞれ冷蔵室用ダンパー２ａ、切替室用ダンパー４ａ、冷凍室用ダンパー６ａが設けられている。
【００１３】
次に、図３に基づいて、この冷蔵庫の電気系統の構造を説明する。マイコンよりなる制御装置１４は、図２に示すように、冷蔵室２の背面側上部の基板に設けられている。そして、これには、冷却ファン１０を回転させるためのモータ１５を制御するためのモータ駆動装置１６と、冷蔵室用ダンパー２ａ、切替室用ダンパー４ａと、冷凍室用ダンパー６ａを作動させるための駆動装置１７と、切替室用温度センサー１８と、霜取りヒータ１１と、霜取りの開始、終了を判断する霜取り温度検知センサー１９と、コンプレッサー１３が接続されている。また、各部屋の設定温度を調節する操作盤７が接続されている。操作盤７は、図１に示すように冷蔵室中央部に配設されていて、操作盤７の中央部に冷蔵室２、製氷室３、切替室４等の温度設定を行う設定ボタン７ａ、７ｂ、７ｃが設けられている。
【００１４】
操作盤７においては、切替室４の温度を、冷蔵室温度、チルド室温度、ソフト冷凍温度（弱、中、強）、冷凍温度の間で設定できる。また、冷蔵室温度、チルド室温度、ソフト冷凍温度（弱、中、強）、冷凍温度の温度は、図４に示すとおりである。
【００１５】
上記構成の冷蔵庫において、切替室４の設定温度が、たとえば冷凍温度から冷蔵室温度に変更された場合の制御を図５のフローチャートで説明する。Ｓｔｅｐ００１で設定温度が、強側たとえば冷凍設定（約−１８℃）から、弱側たとえば冷蔵設定（約３℃）に変更された場合、Ｓｔｅｐ００２へ進み、その設定温度である弱設定温度と切替室センサー温度とを比較する。
【００１６】
そして、Ｓｔｅｐ００２で、弱設定温度＞切替室センサー温度の場合は、Ｓｔｅｐ００３へ進み判定を行う。Ｓｔｅｐ００４では、霜取り温度検知センサー１９６１による連続して霜取りを行わせないための判定である。Ｓｔｅｐ００３で、霜取り入り温度条件であった場合、Sｔｅｐ００４の霜取り開始へ進み、Ｓｔｅｐ００５で霜取りヒータ１１を通電し、霜取りを開始させる。
【００１７】
次に、霜取りを開始後Ｓｔｅｐ００６で、弱設定温度≧切替室センサー温度であった場合、切替室ダンパー４ａを開くことにより、切替室内に暖気を送り込み切替室内の温度を上昇させる。また、Ｓｔｅｐ００４で、弱設定温度＜切替室センサー温度であった場合、Ｓｔｅｐ００７へ進み切替室ダンパー４ａを閉じ、切替室内の温度上昇を防ぐ。次にＳｔｅｐ００９で、霜取り温度検知センサー１９６１による霜取り終了判定で霜取り終了と判定された場合、Ｓｔｅｐ０１０で本制御を終了させる。
【００１８】
また、その他の部屋にダンパーが取り付けられている場合、切替室以外のダンパーを閉じ、霜取りヒータ１１により暖められた暖気を切替室４だけに送り込むことにより、より素早く設定温度に到達させることができる。
【００１９】
このように切替室設定温度が強側から弱側に切り換えられた場合、専用のヒータ等を追加しないためコストをかけずに、素早く設定温度に近づけることが可能となる。
【００２０】
以上のように上記説明は、切替室の実施例であるが、比較的設定温度の差が大きい部屋の場合に、その部屋のダンパーと霜取りヒータ１１を使用して適用できる。
【００２１】
また、ダンパーによる制御を行っていない部屋でも、霜取りヒータ１１を通電するこにより、その部屋を設定温度に素早く到達させることができる。
【００２２】
実施の形態２．
図６は、この発明の実施の形態２を示す冷蔵庫の切替室の図である。図６において、切替室４を加熱する電熱線からなる切替室用ヒータ２０が取り付けられている。上記構成の冷蔵庫において、切替室４の設定温度が、たとえば冷凍温度から冷蔵室温度に変更された場合の制御を図７のフローチャートで説明する。
【００２３】
始めに、Ｓｔｅｐ１００で切替室設定温度が、強側たとえば冷凍設定（約−１８℃）から、弱側たとえば冷蔵設定（約３℃）に切換えられ場合、Ｓｔｅｐ１０１でその設定温度と切替室センサー温度を比較する。Ｓｔｅｐ１０１で、変更された設定温度と切替室センサー温度を比較し、設定温度＞切替室センサー温度の場合は、Sｔｅｐ１０２の判定を行う。Ｓｔｅｐ１０２は、霜取り温度検知センサー１９による連続して霜取りを行わせないための判定である。霜取り入り温度でない場合は、既に霜取りを行ったと判断し、本制御を行わない。
【００２４】
Ｓｔｅｐ１０２で、霜取り入り温度条件であった場合、Ｓｔｅｐ１０３で、霜取りヒータ１１を通電し霜取りを開始させ、Ｓｔｅｐ１０４で霜取りヒータ１１を通電し、メモリ１に設定温度と切替室センサー温度の差分をメモリする。
【００２５】
次にＳｔｅｐ１０５で、メモリ１のデータを判定する。メモリ１≧５Ｋであった場合は、非常に温度差があると判断し、Ｓｔｅｐ１０６で霜取りヒータ１１の通電と同時に切替室用ヒータ２０も通電し、Ｓｔｅｐ１０７で切替室ダンパー４ａを開くことにより、切替室４内に暖気を送り込み温度を上昇させる。また、Ｓｔｅｐ１０５でメモリ１が５Ｋ以内であった場合は、Ｓｔｅｐ１０８で、メモリ１が０となるまで、すなわち、Ｓｔｅｐ１０９で切替室ヒータ２０をＯＦＦすると同時に設定温度に達するまで、Ｓｔｅｐ１１０で切替室ダンパー４ａを開き、Ｓｔｅｐ１１３で、霜取り温度検知センサー１９による霜取り終了判定をおこない、霜取り終了と判定された場合、Ｓｔｅｐ１１４で霜取りを終了させる。
【００２６】
また、Ｓｔｅｐ１０５でメモリ１が５Ｋ以内であった場合で、Ｓｔｅｐ１０８で、メモリ１が０となった場合は、Ｓｔｅｐ１１１で、メモリ１が０となるまで、Ｓｔｅｐ１１１で切替室ヒータ２０をＯＦＦすると同時にＳｔｅｐ１１２で切替室ダンパー４ａを閉じ、Ｓｔｅｐ１１３で、霜取り温度検知センサー１９による霜取り終了判定をおこない、霜取り終了と判定された場合、Ｓｔｅｐ１１４で霜取りを終了させる。
【００２７】
なお、Ｓｔｅｐ１１３で、霜取り温度検知センサー１９による霜取り終了判定をおこない、霜取り終了と判定されない場合は、Ｓｔｅｐ１０４へ戻り、霜取りヒータ１１を通電させて、再度Ｓｔｅｐ１０５から判定作業をおこなうものである。
【００２８】
このように、霜取りヒータ１１だけでなく、切替室用ヒータ２０を同時に通電することにより、素早く設定温度まで到達させることができ、霜取りヒータ１１と同時に通電させるため、その容量も小さく、また安価に供給できる。
【００２９】
また、設定温度と切替室温度の差により、霜取りヒータ１１と切替室ヒータ２０の通電の組み合わせを変更しても構わない。
【００３０】
また、その他の部屋にダンパーが取り付けられている場合、切替室以外のダンパーを閉じ、霜取りヒータ１１と、切替室ヒータ２０により暖められた暖気を切替室だけに送り込むことにより、より素早く設定温度に到達させることができる。
【００３１】
以上のように上記説明は、切替室の実施の形態例であるが、比較的設定温度の差が大きい部屋の場合に、その部屋のダンパーと霜取りヒータを使用して適用できる。
また、ダンパーによる制御を行っていない部屋でも、霜取りヒータを通電するこにより、その部屋を設定温度に素早く到達させることができる。
【００３２】
実施の形態３．
図８は、この発明の実施の形態３による冷蔵庫の切替室を示す図である。図８において、冷蔵庫の部屋たとえば、切替室にレンジ機能を搭載し、冷凍された食品の解凍を行うことが可能となる。切替室４は、食品低温保存するための部屋であり、かつ、図９は、レンジ機能の設定を行うための表示、ボタンを搭載したレンジ機能表示搭載操作盤２１で、レンジ機能表示２１ａ、レンジ機能を使用し、解凍をいつ完了させるかを設定するレンジ完了設定ボタン２１ｂ、解凍を開始させるレンジ開始ボタン２１ｃ及び、レンジ解凍時間設定の現在時刻を表示するレンジ用表示部２１ｄと解凍表示２１ｅを備えたものである。
【００３３】
食品たとえば、冷凍された魚を解凍する場合、レンジ機能表示搭載操作盤２１のレンジ開始ボタン２１ｃを押すことにより、解凍が開始される。この解凍には、まず、霜取りヒータ１１または、切替室用ヒータ２０との組み合わせにより、解凍させたい食品を一定温度まで、解凍をする。その後、レンジ機能による解凍を行う。
【００３４】
また、レンジ機能表示搭載操作盤２１から、レンジ完了設定ボタン２１ｂにより解凍を完了させる時刻、または、解凍を開始するまでの時間を設定した後、レンジ開始ボタン２１ｃをすることにより、簡単に設定された解凍終了時刻に解凍を完了させることができる。このため、解凍忘れを防止でき、かつ、食事をする時間、すなわち食事の直前に解凍を完了させることができる。
【００３５】
また、レンジ機能を有する冷蔵庫において、保存しておいた食品を操作盤により、解凍機能を使用する場合、まず、霜取りヒータまたは、霜取りヒータと専用ヒータの組み合わせにより、通電を行った後、レンジ機能を実行することにより、消費電力を最小限に抑えることができる。
【図面の簡単な説明】
【００３６】
【図１】この発明の実施の形態１である冷蔵庫を示す正面図である。
【図２】この発明の実施の形態１である冷蔵庫を示す断面図である。
【図３】この発明の実施の形態１である冷蔵庫の制御を示すブロックである。
【図４】この発明の実施の形態１である冷蔵庫切替室の設定温度の目安表である。
【図５】この発明の実施の形態１である冷蔵庫の制御を示すフローチャートである。
【図６】この発明の実施の形態２である冷蔵庫の切替室を示すの斜視図である。
【図７】この発明の実施の形態２である冷蔵庫の制御を示すフローチャートである。
【図８】この発明の実施の形態３である冷蔵庫の切替室を示すの斜視図である。
【図９】この発明の実施の形態３である冷蔵庫のレンジ機能を搭載した操作盤を示す図である。
【符号の説明】
【００３７】
１  冷蔵庫本体、
２  冷蔵室、
２ａ  冷蔵庫室用ダンパー、
３  製氷室、４  切替室、
４ａ  切替室用ダンパー、
５  野菜室、
６  冷凍室、
６ａ  冷凍室用ダンパー、
７  操作盤、
７ａ、７ｂ、７ｃ  設定ボタン、
８  冷却空間、
９  冷却器、
１０  冷却ファン、
１１  霜取りヒータ、
１２  機械室、
１３  コンプレッサー、
１４  制御装置、
１５  モータ、
１６モータ駆動装置、
１７  駆動装置、
１８  切替室用温度センサー、
１９  霜取り温度検知センサー、
２０  切替室用ヒータ、
２１  レンジ機能表示搭載操作盤、
２１ａ  レンジ機能表示、
２１ｂ  レンジ完了設定ボタン、
２１ｃ  レンジ開始ボタン、
２１ｄ  レンジ用表示部、
２１ｅ  解凍表示。
【図１】
2005265226.tif 000003
【図２】
2005265226.tif 000004
【図３】
2005265226.tif 000005
【図４】
2005265226.tif 000006
【図５】
2005265226.tif 000007
【図６】
2005265226.tif 000008
【図７】
2005265226.tif 000009
【図８】
2005265226.tif 000010
【図９】
2005265226.tif 000011